(57)【要約】【課題】印刷前の原稿画像をプレビュー表示させる場合の視認性を向上させることができる画像処理装置、画像形成システム、コンピュータプログラム及び画像表示方法を提供する。【解決手段】プレビュー画像生成部１３は、印刷用データを取得して複数のプレビュー画像を生成する。表示制御部１８１は、生成された複数のプレビュー画像を頁順に重ね合わせるとともに、隣り合う２枚のプレビュー画像を最前列に表示する。反転表示制御部１８２は、一方の最前列のプレビュー画像を順次徐々に頁送りしつつ表裏を反転させて他方の最前列のプレビュー画像とする。【選択図】図１
2011257871.tif 000002
【特許請求の範囲】
【請求項１】
印刷する原稿の印刷用データに基づいて複数の原稿画像を生成する画像生成手段を備え、生成した原稿画像を表示画面に表示させるための処理を行う画像処理装置において、
前記画像生成手段で生成した複数の原稿画像を重ね合わせるとともに、隣り合う２枚の原稿画像を並べて最前列に表示すべく制御する表示制御手段と、
該表示制御手段で表示した一方の最前列の原稿画像を順次徐々に移動しつつ表裏を反転させて他方の最前列の原稿画像とする反転表示制御手段と
を備えることを特徴とする画像処理装置。
【請求項２】
前記表示制御手段は、
重ね合わせた原稿画像のうち、前列の原稿画像が後列の原稿画像の一部を覆うべく表示するように構成してあることを特徴とする請求項１に記載の画像処理装置。
【請求項３】
前記反転表示制御手段による原稿画像の移動の速度を制御する移動速度制御手段を備えることを特徴とする請求項１又は請求項２に記載の画像処理装置。
【請求項４】
前記表示制御手段は、
前記表示画面内の基準面上で複数の原稿画像を立て置き、最前列の２枚の原稿画像が所定の角度をなして対向する第１の表示態様、及び前記表示画面内の載置面上に最前列の２枚の原稿画像を載置する第２の表示態様の少なくとも１つの表示態様で原稿画像を表示するようにしてあり、
前記移動速度制御手段は、
前記第１の表示態様又は第２の表示態様に応じて、前記反転表示制御手段による原稿画像の移動の速度を制御するように構成してあることを特徴とする請求項３に記載の画像処理装置。
【請求項５】
前記反転表示制御手段は、
前記基準面上で原稿画像を徐々に移動するように構成してあることを特徴とする請求項４に記載の画像処理装置。
【請求項６】
前記原稿の編集条件を判定する編集条件判定手段と、
該編集条件判定手段で判定した編集条件に応じて、前記反転表示制御手段による原稿画像の移動の速度を制御する移動速度制御手段と
を備えることを特徴とする請求項１又は請求項２に記載の画像処理装置。
【請求項７】
前記編集条件判定手段は、
前記原稿内の章の切り替わりの有無を判定するようにしてあり、
前記移動速度制御手段は、
前記原稿内の章の切り替わりが有る場合、該原稿の原稿画像の移動の速度を遅く又は移動を一時停止するように構成してあることを特徴とする請求項６に記載の画像処理装置。
【請求項８】
前記編集条件判定手段は、
前記原稿のサイズの切り替わりの有無を判定するようにしてあり、
前記移動速度制御手段は、
前記原稿のサイズの切り替わりが有る場合、該原稿の原稿画像の移動の速度を遅く又は移動を一時停止するように構成してあることを特徴とする請求項６又は請求項７に記載の画像処理装置。
【請求項９】
前記編集条件判定手段は、
前記原稿のサイズを判定するようにしてあり、
前記移動速度制御手段は、
前記原稿のサイズの大小に応じて、該原稿の原稿画像の移動の速度を制御するように構成してあることを特徴とする請求項６から請求項８までのいずれか１項に記載の画像処理装置。
【請求項１０】
印刷条件を受け付ける受付手段と、
該受付手段で受け付けた印刷条件に応じて、前記反転表示制御手段による原稿画像の移動の速度を制御する移動速度制御手段と
を備えることを特徴とする請求項１又は請求項２に記載の画像処理装置。
【請求項１１】
前記受付手段は、
印刷色又は１頁に割り付ける原稿頁数を受け付けるように構成してあることを特徴とする請求項１０に記載の画像処理装置。
【請求項１２】
前記表示制御手段で表示する最前列の原稿画像の前記表示画面内の基準面上の奥行き位置を設定する位置設定手段と、
該位置設定手段で設定した位置に応じて、前記反転表示制御手段による原稿画像の移動の速度を制御する移動速度制御手段と
を備えることを特徴とする請求項１又は請求項２に記載の画像処理装置。
【請求項１３】
用紙の綴じ位置を設定する位置設定手段と、
該位置設定手段で用紙の上綴じが設定された場合と左右綴じが設定された場合とで、前記反転表示制御手段による原稿画像の移動の速度を一致させるべく制御する移動速度制御手段を備えることを特徴とする請求項１又は請求項２に記載の画像処理装置。
【請求項１４】
用紙の綴じ位置を設定する位置設定手段と、
該位置設定手段で設定した綴じ位置に応じて、前記反転表示制御手段による原稿画像の移動方向を切り替える切替手段と
を備えることを特徴とする請求項１から請求項１２までのいずれか１項に記載の画像処理装置。
【請求項１５】
前記反転表示制御手段による一方の最前列の原稿画像を反転させて他方の最前列の原稿画像にする動作を手動又は自動のいずれで行うかを決定する決定手段を備えることを特徴とする請求項１から請求項１４までのいずれか１項に記載の画像処理装置。
【請求項１６】
請求項１から請求項１５までのいずれか１項に記載の画像処理装置と、該画像処理装置で表示した原稿画像に対応する印刷データを用いて画像を形成する画像形成装置とを備えることを特徴とする画像形成システム。
【請求項１７】
コンピュータに、印刷する原稿の印刷用データに基づいて複数の原稿画像を生成し、生成した原稿画像を表示画面に表示するステップを実行させるためのコンピュータプログラムにおいて、
コンピュータに、
生成した複数の原稿画像を重ね合わせるとともに、隣り合う２枚の原稿画像を並べて最前列に表示するステップと、
表示した一方の最前列の原稿画像を順次徐々に移動しつつ表裏を反転させて他方の最前列の原稿画像とするステップと
を実行させることを特徴とするコンピュータプログラム。
【請求項１８】
印刷する原稿の印刷用データに基づいて複数の原稿画像を生成し、生成した原稿画像を表示画面に表示させるための処理を行う画像処理装置による画像表示方法おいて、
生成した複数の原稿画像を重ね合わせて表示するステップと、
最前列の原稿画像を順次徐々に移動しつつ表裏を反転させるステップと、
反転された原稿画像を順次最前列の原稿画像として、隣り合う２枚の原稿画像を並べて最前列に表示するステップと
を含むことを特徴とする画像表示方法。
【発明の詳細な説明】
【技術分野】
【０００１】
本発明は、印刷前の原稿画像を表示画面に表示させるための画像処理を行う画像処理装置、該画像処理装置を備える画像形成システム、前記画像処理装置を実現するためのコンピュータプログラム及び画像表示方法に関する。
【背景技術】
【０００２】
パーソナルコンピュータなどの画像処理装置で動作する文書作成用のアプリケーションで作成した原稿をプリンタなどの画像形成装置で印刷する前に、印刷後の原稿の仕上がり状態を確認するためのプレビュー画像を表示するプレビュー機能を備えた画像処理装置又は画像形成装置が製品化されている。
【０００３】
例えば、操作者が印刷を実行する前に、表示部において原稿の仕上がりを立体的に表示し、操作者が次頁の操作を行うと立体的なアニメーションで原稿の頁が順番に表示する画像形成装置が開示されている（特許文献１参照）。
【０００４】
また、プレビュー領域に表示中のプレビュー画像から、前頁又は次頁への遷移過程のアニメーションを生成することにより、画像形成する原稿の頁間の関係の視認性を高めることができる画像形成装置が開示されている（特許文献２参照）。
【０００５】
また、一時ファイルを立体的な画像に変換する一般的な手法としては、例えば、平面図形の射影（投影）変換の技術がある（特許文献３参照）。
【先行技術文献】
【特許文献】
【０００６】
【特許文献１】特開２００６−３５６８号公報
【特許文献２】特開２００９−２５３７７７号公報
【特許文献３】特開平１１−３１２２３８号公報
【発明の概要】
【発明が解決しようとする課題】
【０００７】
特許文献１、２の装置にあっては、印刷実行前の原稿の仕上がり状態をプレビュー表示し、アニメーション等により確認させることで、操作者の予期しない状態での誤印刷を防ぐ一定の効果はある。しかし、近年、大量の原稿を印刷する状況も多くなり、多数の頁からなる原稿画像をプレビュー表示させて印刷後の仕上がり状態を確認する労力も増大している。このため、印刷前の原稿画像をプレビュー表示させる場合、操作者に対する視認性をさらに向上させて、誤印刷を防止することが望まれていた。
【０００８】
本発明は、斯かる事情に鑑みてなされたものであり、印刷前の原稿画像をプレビュー表示させる場合の視認性を向上させることができる画像処理装置、該画像処理装置を備える画像形成システム、前記画像処理装置を実現するためのコンピュータプログラム及び画像表示方法を提供することを目的とする。
【課題を解決するための手段】
【０００９】
本発明に係る画像処理装置は、印刷する原稿の印刷用データに基づいて複数の原稿画像を生成する画像生成手段を備え、生成した原稿画像を表示画面に表示させるための処理を行う画像処理装置において、前記画像生成手段で生成した複数の原稿画像を重ね合わせるとともに、隣り合う２枚の原稿画像を並べて最前列に表示すべく制御する表示制御手段と、該表示制御手段で表示した一方の最前列の原稿画像を順次徐々に移動しつつ表裏を反転させて他方の最前列の原稿画像とする反転表示制御手段とを備えることを特徴とする。
【００１０】
本発明に係る画像処理装置は、前記表示制御手段は、重ね合わせた原稿画像のうち、前列の原稿画像が後列の原稿画像の一部を覆うべく表示するように構成してあることを特徴とする。
【００１１】
本発明に係る画像処理装置は、前記反転表示制御手段による原稿画像の移動の速度を制御する移動速度制御手段を備えることを特徴とする。
【００１２】
本発明に係る画像処理装置は、前記表示制御手段は、前記表示画面内の基準面上で複数の原稿画像を立て置き、最前列の２枚の原稿画像が所定の角度をなして対向する第１の表示態様、及び前記表示画面内の載置面上に最前列の２枚の原稿画像を載置する第２の表示態様の少なくとも１つの表示態様で原稿画像を表示するようにしてあり、前記移動速度制御手段は、前記第１の表示態様又は第２の表示態様に応じて、前記反転表示制御手段による原稿画像の移動の速度を制御するように構成してあることを特徴とする。
【００１３】
本発明に係る画像処理装置は、前記反転表示制御手段は、前記基準面上で原稿画像を徐々に移動するように構成してあることを特徴とする。
【００１４】
本発明に係る画像処理装置は、前記原稿の編集条件を判定する編集条件判定手段と、該編集条件判定手段で判定した編集条件に応じて、前記反転表示制御手段による原稿画像の移動の速度を制御する移動速度制御手段とを備えることを特徴とする。
【００１５】
本発明に係る画像処理装置は、前記編集条件判定手段は、前記原稿内の章の切り替わりの有無を判定するようにしてあり、前記移動速度制御手段は、前記原稿内の章の切り替わりが有る場合、該原稿の原稿画像の移動の速度を遅く又は移動を一時停止するように構成してあることを特徴とする。
【００１６】
本発明に係る画像処理装置は、前記編集条件判定手段は、前記原稿のサイズの切り替わりの有無を判定するようにしてあり、前記移動速度制御手段は、前記原稿のサイズの切り替わりが有る場合、該原稿の原稿画像の移動の速度を遅く又は移動を一時停止するように構成してあることを特徴とする。
【００１７】
本発明に係る画像処理装置は、前記編集条件判定手段は、前記原稿のサイズを判定するようにしてあり、前記移動速度制御手段は、前記原稿のサイズの大小に応じて、該原稿の原稿画像の移動の速度を制御するように構成してあることを特徴とする。
【００１８】
本発明に係る画像処理装置は、印刷条件を受け付ける受付手段と、該受付手段で受け付けた印刷条件に応じて、前記反転表示制御手段による原稿画像の移動の速度を制御する移動速度制御手段とを備えることを特徴とする。
【００１９】
本発明に係る画像処理装置は、前記受付手段は、印刷色又は１頁に割り付ける原稿頁数を受け付けるように構成してあることを特徴とする。
【００２０】
本発明に係る画像処理装置は、前記表示制御手段で表示する最前列の原稿画像の前記表示画面内の基準面上の奥行き位置を設定する位置設定手段と、該位置設定手段で設定した位置に応じて、前記反転表示制御手段による原稿画像の移動の速度を制御する移動速度制御手段とを備えることを特徴とする。
【００２１】
本発明に係る画像処理装置は、用紙の綴じ位置を設定する位置設定手段と、該位置設定手段で用紙の上綴じが設定された場合と左右綴じが設定された場合とで、前記反転表示制御手段による原稿画像の移動の速度を一致させるべく制御する移動速度制御手段を備えることを特徴とする。
【００２２】
本発明に係る画像処理装置は、用紙の綴じ位置を設定する位置設定手段と、該位置設定手段で設定した綴じ位置に応じて、前記反転表示制御手段による原稿画像の移動方向を切り替える切替手段とを備えることを特徴とする。
【００２３】
本発明に係る画像処理装置は、前記反転表示制御手段による一方の最前列の原稿画像を反転させて他方の最前列の原稿画像にする動作を手動又は自動のいずれで行うかを決定する決定手段を備えることを特徴とする。
【００２４】
本発明に係る画像形成システムは、前述の発明のいずれか１つに係る画像処理装置と、該画像処理装置で表示した原稿画像に対応する印刷データを用いて画像を形成する画像形成装置とを備えることを特徴とする。
【００２５】
本発明に係るコンピュータプログラムは、コンピュータに、印刷する原稿の印刷用データに基づいて複数の原稿画像を生成し、生成した原稿画像を表示画面に表示するステップを実行させるためのコンピュータプログラムにおいて、コンピュータに、生成した複数の原稿画像を重ね合わせるとともに、隣り合う２枚の原稿画像を並べて最前列に表示するステップと、表示した一方の最前列の原稿画像を順次徐々に移動しつつ表裏を反転させて他方の最前列の原稿画像とするステップとを実行させることを特徴とする。
【００２６】
本発明に係る画像処理方法は、印刷する原稿の印刷用データに基づいて複数の原稿画像を生成し、生成した原稿画像を表示画面に表示させるための処理を行う画像処理装置による画像表示方法おいて、生成した複数の原稿画像を重ね合わせて表示するステップと、最前列の原稿画像を順次徐々に移動しつつ表裏を反転させるステップと、反転された原稿画像を順次最前列の原稿画像として、隣り合う２枚の原稿画像を並べて最前列に表示するステップとを含むことを特徴とする。
【００２７】
本発明にあっては、印刷する原稿の印刷用データは、文書作成用のアプリケーションにおいて、印刷実行の操作が行われた場合に画像生成手段へ出力されるデータであり、例えば、印刷データ自身及び印刷に付随するメタデータなどが含まれる。原稿画像は、プリンタ等で印刷を行う前に表示画面でプレビュー表示させるためのプレビュー画像である。表示制御手段は、生成された複数の原稿画像を重ね合わせるとともに、隣り合う２枚の原稿画像を並べて最前列に表示すべく制御する。なお、並べて表示する場合、お互いの原稿画像が離隔してもよく、あるいは密着して（重なって）いてもよい。これにより、連続する２頁分の原稿画像を表示画面上に同時に表示させることができる。反転表示制御手段は、一方の最前列の原稿画像を順次徐々に移動（頁送り）しつつ表裏を反転させて他方の最前列の原稿画像とする。例えば、一方の最前列の原稿画像を表とした場合、原稿画像を徐々に移動させて表裏を反転させるので、操作者は、原稿画像の表から裏へと徐々に移り変わる様子を見ることができ、原稿画像の視認性を向上させることができる。また、大量の原稿を印刷する場合でも印刷の誤りがないかを確実に確認することができる。
【００２８】
本発明にあっては、表示制御手段は、重ね合わせた原稿画像のうち、前列の原稿画像が後列の原稿画像の一部を覆うように表示する。原稿画像を重ね合わせて表示する場合、前列の原稿画像が後列の原稿画像の一部を覆うので、後列の原稿画像も前列の原稿画像と同時に見ることができ、最前列の原稿画像だけでなく原稿全体の様子を見ることができるので、さらに視認性を向上させることができる。
【００２９】
本発明にあっては、移動速度制御手段は、原稿画像の移動（頁送り）の速度を制御する。例えば、ユーザが原稿画像を確認する場合に、頁送りをしながら原稿画像を確認するいわゆる「流し読み」を行うことが考えられる。流し読みをする場合、頁送りの速度は比較的速くすることができ、時間を節約することができる。しかし、原稿画像のうち、注意しなければいけない頁を読み飛ばしてしまい、結局印刷ミスを起こしてしまう虞もある。原稿画像の移動（頁送り）の速度を制御して、例えば、頁送りを一時的に停止し、あるいは頁送りの速度を遅くすることにより、ユーザの注意を喚起することができ、印刷ミスを低減することができる。
【００３０】
本発明にあっては、表示制御手段は、表示画面内の基準面上で複数の原稿画像を立て置き、最前列の２枚の原稿画像が所定の角度をなして対向する第１の表示態様で原稿画像を表示する。基準面の表示は、例えば、基準面を斜めから見た状態を表示することができる。あるいは、表示制御手段は、表示画面内の載置面上に最前列の２枚の原稿画像を載置する第２の表示態様で原稿画像を表示する。移動速度制御手段は、第１の表示態様又は第２の表示態様に応じて、原稿画像の移動（頁送り）の速度を制御する。第１の表示態様は、例えば、印刷前の原稿を立体的に表示するモードであり、２頁分の原稿を立体的に見開き状態で机上に立てて置いたように表示する態様である。第２の表示態様は、例えば、印刷前の原稿を平面的に表示するモードであり、２頁分の原稿を見開き状態で机上に置いたように表示する態様である。第２の表示態様では、２頁分の原稿を見開き状態で机上に置いたように表示させることができ、また、１頁ずつ頁送りをするように表示させることができるので、一層視認性を向上させることができる。移動速度制御手段は、例えば、第１の表示態様（立体的な表示）の場合には、原稿の表裏の関係を素早く確認するものとして、頁送りの速度を比較的速くし、第２の表示態様（平面的な表示）の場合には、原稿の各頁の内容をじっくりと確認するものとして、頁送りの速度を比較的遅くする。これにより、原稿画像の表示態様に合わせて原稿画像の移動（頁送り）の速度を変化させることができ、操作者の視認性及び利便性が向上する。
【００３１】
本発明にあっては、反転表示制御手段は、基準面上で原稿画像を徐々に移動して表裏を反転させる。これにより、２頁分の原稿を立体的に見開き状態で机上に立てて置いたように表示させることができ、また、１頁ずつ頁送りをするように表示させることができるので、一層視認性を向上させることができる。
【００３２】
本発明にあっては、原稿の編集条件を判定し、判定した編集条件に応じて、反転表示制御手段による原稿画像の移動（頁送り）の速度を制御する。例えば、所定の編集条件が存在する場合、当該編集条件が正しく反映されているかを確認するために原稿画像の移動（頁送り）の速度を比較的遅くする、あるいは一時的に停止するように制御することができる。これにより、編集条件により誤って印刷される可能性が高い箇所を、時間をかけてゆっくりと確認することができ、誤印刷を防止することができる。
【００３３】
本発明にあっては、原稿内の章の切り替わりの有無を判定し、原稿内の章の切り替わりがある場合、当該原稿の原稿画像の移動（頁送り）の速度を遅く又は移動（頁送り）を一時停止する。これにより、原稿内の章の切り替わりなど誤った印刷を行われそうな箇所の確認を確実に行うことができる。
【００３４】
本発明にあっては、原稿のサイズの切り替わりの有無を判定し、原稿のサイズの切り替わりがある場合、当該原稿の原稿画像の移動（頁送り）の速度を遅く又は移動（頁送り）を一時停止する。これにより、原稿のサイズの切り替わりなど誤った印刷を行われそうな箇所の確認を確実に行うことができる。
【００３５】
本発明にあっては、原稿のサイズを判定し、原稿のサイズの大小に応じて、当該原稿の原稿画像の移動（頁送り）の速度を制御する。例えば、原稿のサイズが、Ａ２、Ａ３等の如く通常のサイズ（例えば、Ａ４）より大きい場合には、確認する範囲も広いので、頁送りの速度を遅くする。また、原稿のサイズが、Ｂ６、Ａ５等の如く通常のサイズより小さい場合には、確認する範囲も狭いので、頁送りの速度を速くする。これにより、原稿のサイズの大小など誤った印刷が行われそうな箇所の多少に応じて頁送りの速度を変化させることができ、迅速かつ確実な確認を行うことができる。
【００３６】
本発明にあっては、受け付けた印刷条件に応じて、反転表示制御手段による原稿画像の移動（頁送り）の速度を制御する。例えば、所定の印刷条件が存在する場合、当該印刷条件が正しく反映されているかを確認するために原稿画像の移動（頁送り）の速度を比較的遅くする、あるいは一時的に停止するように制御することができる。これにより、印刷条件により誤って印刷される可能性が高い箇所を、時間をかけてゆっくりと確認することができ、誤印刷を防止することができる。
【００３７】
本発明にあっては、印刷条件として、印刷色又は１頁に割り付ける原稿頁数を受け付ける。印刷色は、例えば、カラー又はモノクロの別である。例えば、カラーで印刷を行う場合には、色合いなど確認する事柄が増えるので頁送りの速度を比較的遅くする。また、モノクロ印刷を行う場合には、確認する事柄がカラーの場合よりも減るので頁送りの速度を比較的速くする。また、１頁に割り付ける原稿頁数は、１枚の用紙に何頁分の原稿を割り当てるかを示す頁割付数である。例えば、頁割付数が多い場合には、各頁間のバランスなどを簡単に確認することができるように、頁送りの速度を比較的速くする。そして、頁割付数が少ない場合には、各頁を細かく確認することができるように、頁送りの速度を比較的遅くする。これにより、印刷条件により誤って印刷される可能性が高い箇所を、時間をかけてゆっくりと確認することができ、誤印刷を防止することができる。
【００３８】
本発明にあっては、最前列の原稿画像の表示画面内の基準面上の奥行き位置を設定し、設定した位置に応じて、反転表示制御手段による原稿画像の移動（頁送り）の速度を制御する。例えば、最前列の原稿画像の奥行き位置が遠くになるように配置した場合、原稿の表裏の関係を素早く確認するものとして、頁送りの速度を比較的速くする。また、最前列の原稿画像の奥行き位置が近くになるように配置した場合、原稿の各頁の内容をじっくりと確認するものとして、頁送りの速度を比較的遅くする。これにより、原稿画像の表示態様に合わせて原稿画像の移動（頁送り）の速度を変化させることができ、操作者の視認性及び利便性が向上する。
【００３９】
本発明にあっては、用紙の綴じ位置を設定する位置設定手段と、上綴じが設定された場合と左右綴じが設定された場合とで、原稿画像の移動の速度を一致させるべく制御する移動速度制御手段を備える。上綴じの場合も左右綴じの場合も、同じ速度で頁送りがされるので、用紙の綴じ位置にかかわらずユーザの操作感が変わらず、違和感なく操作を行うことができる。
【００４０】
本発明にあっては、用紙の綴じ位置を設定し、設定した綴じ位置に応じて、反転表示制御手段による原稿画像の移動方向を切り替える。例えば、綴じ位置が、原稿の左側にある場合、原稿画像の頁送りの方向を右から左とする。また、綴じ位置が、原稿の上側にある場合、原稿画像の頁送りの方向を下から上とする。綴じ位置が、原稿の左上端にある場合、原稿画像の頁送りの方向を右下から左上とする。これにより、原稿が綴じられた状態を再現して頁送りがされるので、頁の前後あるいは原稿の上下など実際の仕上がりに合わせて確認することができ、誤印刷を発見しやすくなる。
【００４１】
本発明にあっては、一方の最前列の原稿画像を反転させて他方の最前列の原稿画像にする動作を手動又は自動のいずれで行うかを決定する決定手段を備える。これにより、操作者が、素早く確認したい場合には、自動で頁送りをすることができ、また、操作者が１頁ずつじっくりと確認したい場合には、手動で頁送りをすることができ、操作者の要望に応じて利便性を高めることができる。
【００４２】
本発明にあっては、画像処理装置と、画像処理装置で表示した原稿画像に対応する印刷データを用いて画像を形成する画像形成装置とを備える。これにより、印刷前の原稿画像を確認した上で印刷を行うことができる。
【発明の効果】
【００４３】
本発明によれば、操作者は、原稿画像の表から裏へと徐々に移り変わる様子を見ることができ、原稿画像の視認性を向上させることができる。また、大量の原稿を印刷する場合でも印刷の誤りがないかを確実に確認することができる。
【図面の簡単な説明】
【００４４】
【図１】本実施の形態に係る画像処理装置を備える画像形成システムの構成の一例を示すブロック図である。
【図２】本実施の形態の画像処理装置によるプレビュー表示の全体プロセスの一例を示す模式図である。
【図３】本実施の形態の原稿表示モードでのプレビュー表示の一例を示す説明図である。
【図４】本実施の形態の立体表示モードでのプレビュー表示の一例を示す説明図である。
【図５】本実施の形態の平面表示モードでのプレビュー表示の一例を示す説明図である。
【図６】本実施の形態の立体表示モードでの頁送りの遷移の一例を示す説明図である。
【図７】本実施の形態の立体表示モードでの頁送りの遷移の一例を示す説明図である。
【図８】本実施の形態の立体表示モードでの頁送りの遷移の一例を示す説明図である。
【図９】本実施の形態の立体表示モードでの頁送りの遷移の一例を示す説明図である。
【図１０】本実施の形態の上綴じの場合のプレビュー表示の一例を示す説明図である。
【図１１】本実施の形態の左上綴の場合のプレビュー表示の一例を示す説明図である。
【図１２】本実施の形態の画像処理装置によるプレビュー表示全体の処理手順を示すフローチャートである。
【図１３】本実施の形態の頁送り速度を遅くする場合のプレビュー表示の処理手順を示すフローチャートである。
【図１４】本実施の形態の頁送りを一時停止する場合のプレビュー表示の処理手順を示すフローチャートである。
【図１５】本実施の形態の頁送りの速度を変化させる場合のプレビュー表示の処理手順を示すフローチャートである。
【図１６】本実施の形態の頁送りの速度を変化させる場合のプレビュー表示の他の処理手順を示すフローチャートである。
【発明を実施するための形態】
【００４５】
以下、本発明を実施の形態を示す図面に基づいて説明する。図１は本実施の形態に係る画像処理装置１０を備える画像形成システム１００の構成の一例を示すブロック図である。画像形成システム１００は、パーソナルコンピュータなどの画像処理装置１０、プリンタなどの画像形成装置２０等を備える。画像処理装置１０と画像形成装置２０とは、通信線などを介してデータの送受信を行うことができる。なお、画像処理装置１０と画像形成装置２０とを統合して、例えば、コピー機能、プリンタ機能、ファイリング機能、ファクシミリ送信機能又はScan to E-mail機能等を備えた複合機として構成することもできる。
【００４６】
画像処理装置１０は、装置全体を制御するＣＰＵ１１、通信部１２、プレビュー画像生成部１３、液晶ディスプレイ又は液晶パネル等の表示部１４、印刷指示送出部１５、プリンタドライバ１６、ＲＯＭ、ＲＡＭ、ハードディスク、ＣＤ−ＲＯＭドライブ及び／又はＤＶＤドライブなどの記憶部１７、プレビューアプリケーション１８などを備える。なお、表示部１４は、画像処理装置１０内に設ける構成であるが、画像処理装置１０とは別個の装置としてもよい。
【００４７】
プレビューアプリケーション１８は、表示制御部１８１、反転表示制御部１８２、頁送り速度調整部１８３、編集条件判定部１８４、操作部１８５などを備える。
【００４８】
ＣＰＵ１１は、記憶部１７のＲＡＭなどにロードされた文書作成用のアプリケーションなどを実行する。これにより、操作者は文章及び／又は図表などを含む原稿を作成することができる。
【００４９】
通信部１２は、ネットワーク網又は通信回線を介して画像形成装置２０、あるいは他の外部装置との間で所定のデータの送受信を行う。例えば、通信部１２は、画像形成装置へ印刷データを送信する。
【００５０】
プレビュー画像生成部１３は、印刷する原稿の印刷用データを取得して複数のプレビュー画像（原稿画像）を生成する画像生成手段としての機能を有する。印刷用データは、例えば、文書作成用のアプリケーションにおいて、印刷実行の操作が行われた場合にプレビュー画像生成部１３へ出力されるデータであり、印刷データ自身及び印刷に付随するメタデータ（例えば、用紙サイズ、解像度、用紙の向きなどの情報）などが含まれる。プレビュー画像（原稿画像）は、例えば、ＥＭＦ（エンハンスドメタファイル）データなどの一時ファイルであり、プリンタ等の画像形成装置２０で印刷を行う前に表示部（表示画面）１４でプレビュー表示させるための画像である。
【００５１】
プレビュー画像生成部１３は、プレビュー画像（一時ファイル）を１頁毎に生成し、生成したプレビュー画像（一時ファイル）をプレビューアプリケーション１８へ出力する。
【００５２】
表示制御部１８１は、生成された複数のプレビュー画像を頁順に重ね合わせるとともに、隣り合う２枚のプレビュー画像を並べて最前列に表示すべく制御する表示制御手段としての機能を有する。なお、並べて表示する場合、お互いのプレビュー画像が離隔してもよく、あるいは密着して（重なって）いてもよい。これにより、連続する２頁分のプレビュー画像を表示部１４の表示画面上に同時に表示させることができる。
【００５３】
反転表示制御部１８２は、一方の最前列のプレビュー画像を順次徐々に移動（頁送り）しつつ表裏を反転させて他方の最前列のプレビュー画像とする反転表示制御手段としての機能を有する。例えば、一方の最前列のプレビュー画像を表とした場合、プレビュー画像を徐々に移動（頁送り）させて表裏を反転させるので、操作者は、プレビュー画像の表から裏へと徐々に移り変わる様子を見ることができ、プレビュー画像の視認性を向上させることができる。また、大量の原稿を印刷する場合でも印刷の誤りがないかを確実に確認することができる。
【００５４】
また、表示制御部１８１は、重ね合わせたプレビュー画像のうち、前列のプレビュー画像が後列のプレビュー画像の一部を覆うように表示する。プレビュー画像を重ね合わせて表示する場合、前列のプレビュー画像が後列のプレビュー画像の一部を覆うので、すなわち、後列のプレビュー画像の一部は前列のプレビュー画像で遮られないので、後列のプレビュー画像も前列のプレビュー画像と同時に見ることができ、最前列のプレビュー画像だけでなく原稿全体の様子を見ることができるので、視認性を向上させることができる。
【００５５】
より具体的には、プレビュー画像を表示画面に表示する場合、第１の表示態様として立体的に表示する態様及び第２の表示態様として平面的に表示する態様がある。まず、立体的に表示する態様について説明する。
【００５６】
表示制御部１８１は、表示画面内に基準面を表示する機能を有する。そして、プレビュー画像を立体的に表示する場合、表示制御部１８１は、例えば、基準面を斜めから見た状態を表示画面に表示する。
【００５７】
立体的に表示する場合、表示制御部１８１は、基準面上で複数のプレビュー画像を立て置き、最前列の２枚のプレビュー画像が所定の角度をなして対向するようにプレビュー画像を表示する。所定の角度は、例えば、９０度以上であって少なくとも１８０度未満である。最前列の２枚のプレビュー画像を見やすくするためには、前述の角度は１００度〜１３０度程度が好ましい。そして、反転表示制御部１８２は、基準面上でプレビュー画像を徐々に移動（頁送り）して表裏を反転させる。これにより、２頁分の原稿を立体的に見開き状態で机上に立てて置いたように表示させることができ、また、１頁ずつ頁送りをするように表示させることができるので、一層視認性を向上させることができる。
【００５８】
表示制御部１８１によるプレビュー画像の立体的表示は、例えば、特許文献３に記載の一般的な平面図形の射影(投影)変換の技術を用いることができる。表示制御部１８１は、一時ファイル（プレビュー画像）の各頁の画像を基準面上に頁毎に所定の角度で仮想的に配置して、仮想的に配置した各頁の画像に対し射影変換を行い、動画を構成する複数の立体的なプレビューの画像(セル画)に変換する処理を行う。当該処理により、後述する図４乃至図１１に示すようなプレビュー画像を得ることができる。
【００５９】
次に、プレビュー画像を平面的に表示する場合、表示制御部１８１は、表示画面内に載置面を表示する機能を有する。この場合、載置面は、表示画面全体の背景面となる。そして、表示制御部１８１は、載置面上に最前列の２枚のプレビュー画像を載置するように表示する。これにより、２頁分の原稿を見開き状態で机上に置いたように表示させることができ、また、１頁ずつ頁送りをするように表示させることができるので、一層視認性を向上させることができる。
【００６０】
頁送り速度調整部１８３は、反転表示制御部１８２によるプレビュー画像の移動（頁送り）の速度を制御する移動速度制御手段としての機能を有する。
【００６１】
例えば、頁送り速度調整部１８３は、プレビュー画像の移動（頁送り）の速度を制御する。例えば、ユーザがプレビュー画像を確認する場合に、頁送りをしながらプレビュー画像を確認するいわゆる「流し読み」を行うことが考えられる。流し読みをする場合、頁送りの速度は比較的速くすることができ、時間を節約することができる。しかし、プレビュー画像のうち、注意しなければいけない頁を読み飛ばしてしまい、結局印刷ミスを起こしてしまう虞もある。プレビュー画像の移動（頁送り）の速度を制御して、例えば、頁送りを一時的に停止し、あるいは頁送りの速度を遅くすることにより、ユーザの注意を喚起することができ、印刷ミスを低減することができる
【００６２】
また、頁送り速度調整部１８３は、立体的な表示態様（第１の表示態様）又は平面的な表示態様（第２の表示態様）に応じて、プレビュー画像の移動（頁送り）の速度を制御する。立体的な表示態様は、例えば、印刷前の原稿を立体的に表示するモードであり、２頁分の原稿を立体的に見開き状態で机上に立てて置いたように表示する態様である。平面的な表示態様は、例えば、印刷前の原稿を平面的に表示するモードであり、２頁分の原稿を見開き状態で机上に立て置いたように表示する態様である。頁送り速度調整部１８３は、例えば、立体的な表示態様の場合には、原稿の表裏の関係を素早く確認するものとして、頁送りの速度を比較的速くし、平面的な表示態様の場合には、原稿の各頁の内容をじっくりと確認するものとして、頁送りの速度を比較的遅くする。これにより、プレビュー画像の表示態様に合わせてプレビュー画像の移動（頁送り）の速度を変化させることができ、操作者の視認性及び利便性が向上する。
【００６３】
編集条件判定部１８４は、原稿の編集条件を判定する編集条件判定手段としての機能を有する。頁送り速度調整部１８３は、編集条件判定部１８４で判定した編集条件に応じて、プレビュー画像の移動（頁送り）の速度を制御する。頁送り速度調整部１８３は、例えば、所定の編集条件が存在する場合、当該編集条件が正しく反映されているかを確認するためにプレビュー画像の移動（頁送り）の速度を比較的遅くする、あるいは一時的に停止するように制御することができる。これにより、編集条件により誤って印刷される可能性が高い箇所を、時間をかけてゆっくりと確認することができ、誤印刷を防止することができる。
【００６４】
また、編集条件判定部１８４で原稿内の章の切り替わりの有無を判定し、原稿内の章の切り替わりが存在する場合、頁送り速度調整部１８３は、当該原稿のプレビュー画像の移動（頁送り）の速度を遅く又は移動（頁送り）を一時停止する。これにより、原稿内の章の切り替わりなど誤った印刷を行われそうな箇所の確認を確実に行うことができる。なお、章の切り替わりは、文書作成用のアプリケーションで原稿を作成した際に、どの頁のどの箇所に章を設けるか等の情報として原稿のデータに含まれる。
【００６５】
また、編集条件判定部１８４で原稿のサイズの切り替わりの有無を判定し、原稿のサイズの切り替わりがある場合、頁送り速度調整部１８３は、当該原稿のプレビュー画像の移動（頁送り）の速度を遅く又は移動（頁送り）を一時停止する。これにより、原稿のサイズの切り替わりなど誤った印刷を行われそうな箇所の確認を確実に行うことができる。なお、原稿のサイズの切り替わりは、文書作成用のアプリケーションで原稿を作成した際に、どの頁をどのサイズにするかを示す情報として原稿のデータに含まれる。
【００６６】
また、編集条件判定部１８４で原稿のサイズを判定し、原稿のサイズの大小に応じて、頁送り速度調整部１８３は、当該原稿の原稿画像の移動（頁送り）の速度を制御する。例えば、原稿のサイズが、Ａ２、Ａ３等の如く通常のサイズ（例えば、Ａ４）より大きい場合には、確認する範囲も広いので、頁送りの速度を遅くする。また、原稿のサイズが、Ｂ６、Ａ５等の如く通常のサイズより小さい場合には、確認する範囲も狭いので、頁送りの速度を速くする。これにより、原稿のサイズの大小など誤った印刷が行われそうな箇所の多少に応じて頁送りの速度を変化させることができ、迅速かつ確実な確認を行うことができる。
【００６７】
操作部１８５は、表示部１４の表示画面内に操作者が所定の操作を行えるように、操作用のボタン（例えば、アイコン）、バーなどを表示する。操作部１８５は、表示画面に表示されたプレビュー画像に対して、例えば、原稿の印刷部数、片面印刷又は両面印刷などの印刷設定、１枚の用紙に何頁分の原稿を割り付けるかを示す頁割付数を設定するＮ−Ｕｐ印刷、用紙の綴じ位置を設定する仕上げ、印刷色を設定するカラーモードなどの印刷条件を受け付ける。操作部１８５で受け付けた印刷条件は、プレビュー画像の再表示において反映されるとともに、一時ファイル（ＥＭＦデータ）に新たに付与されることで一時ファイルが更新される。
【００６８】
また、操作部１８５は、例えば、印刷実行のための「印刷」ボタン、プレビュー表示の表示態様の区別を示す「仕上がり（立体）」ボタン、「仕上がり（平面）」ボタン及び「原稿表示」ボタンを表示画面に表示するとともに、各ボタンの操作を受け付ける。
【００６９】
頁送り速度調整部１８３は、受け付けた印刷条件に応じて、プレビュー画像の移動（頁送り）の速度を制御する。例えば、頁送り速度調整部１８３は、所定の印刷条件が存在する場合、当該印刷条件が正しく反映されているかを確認するためにプレビュー画像の移動（頁送り）の速度を比較的遅くする、あるいは一時的に停止するように制御することができる。これにより、印刷条件により誤って印刷される可能性が高い箇所を、時間をかけてゆっくりと確認することができ、誤印刷を防止することができる。
【００７０】
印刷条件として、例えば、印刷色又は頁割付数を受け付けることができる。印刷色は、例えば、カラー又はモノクロの別である。例えば、カラーで印刷を行う場合には、頁送り速度調整部１８３は、色合いなど確認する事柄が増えるので頁送りの速度を比較的遅くする。また、モノクロ印刷を行う場合には、頁送り速度調整部１８３は、確認する事柄がカラーの場合よりも減るので頁送りの速度を比較的速くする。また、頁割付数は、１枚の用紙に何頁分の原稿を割り当てるかを示す。例えば、頁割付数が多い場合には、各頁間のバランスなどを簡単に確認することができるように、頁送り速度調整部１８３は、頁送りの速度を比較的速くする。そして、頁割付数が少ない場合には、各頁を細かく確認することができるように、頁送り速度調整部１８３は、頁送りの速度を比較的遅くする。これにより、印刷条件により誤って印刷される可能性が高い箇所を、時間をかけてゆっくりと確認することができ、誤印刷を防止することができる。
【００７１】
また、印刷条件として、用紙の綴じ位置を受け付けることができる。頁送り速度調整部１８３は、上綴じが設定された場合と左右綴じが設定された場合とで、プレビュー画像の移動（頁送り）の速度を一致させる。上綴じの場合も左右綴じの場合も、同じ速度で頁送りがされるので、用紙の綴じ位置にかかわらずユーザの操作感が変わらず、違和感なく操作を行うことができる。
【００７２】
また、綴じ位置が原稿の左側にある場合、反転表示制御部１８２は、プレビュー画像の頁送りの方向を右から左とする。また、綴じ位置が原稿の上側にある場合、反転表示制御部１８２は、プレビュー画像の頁送りの方向を下から上とする。綴じ位置が、原稿の左上端にある場合、反転表示制御部１８２は、プレビュー画像の頁送りの方向を右下から左上とする。これにより、原稿が綴じられた状態を再現して頁送りがされるので、頁の前後あるいは原稿の上下など実際の仕上がりに合わせて確認することができ、誤印刷を発見しやすくなる。
【００７３】
また、操作部１８５は、プレビュー画像を縮小又は拡大表示するためのズーム倍率（奥行き情報）の設定を受け付ける。すなわち、操作部１８５は、最前列のプレビュー画像の基準面上の奥行き位置を設定する位置設定手段としての機能を有する。
【００７４】
例えば、最前列のプレビュー画像の奥行き位置が遠くになるように配置した場合（縮小又はズームアウトの場合）、頁送り速度調整部１８３は、原稿の表裏の関係を素早く確認するものとして、頁送りの速度を比較的速くする。また、最前列のプレビュー画像の奥行き位置が近くになるように配置した場合（拡大又はズームインの場合）、頁送り速度調整部１８３は、原稿の各頁の内容をじっくりと確認するものとして、頁送りの速度を比較的遅くする。これにより、プレビュー画像の表示態様に合わせてプレビュー画像の移動（頁送り）の速度を変化させることができ、操作者の視認性及び利便性が向上する。
【００７５】
また、操作部１８５は、一方の最前列のプレビュー画像を反転させて他方の最前列のプレビュー画像にする動作を手動又は自動のいずれで行うかを決定する決定手段としての機能を有する。すなわち、操作者は操作部１８５を操作してプレビュー画像の頁送りを自動で行うか、１頁ずつ手動で行うかを決定することができる。これにより、操作者が、素早く確認したい場合には、自動で頁送りをすることができ、また、操作者が１頁ずつじっくりと確認したい場合には、手動で頁送りをすることができ、操作者の要望に応じて利便性を高めることができる。
【００７６】
印刷指示送出部１５は、プレビュー表示において設定された印刷条件に基づく印刷指示をプリンタドライバ１６へ送出する。なお、印刷指示送出部１５に代えて、プレビューアプリケーション１８が印刷指示をプリンタドライバ１６へ送出する。
【００７７】
プリンタドライバ１６は、印刷用データ（ＥＭＦデータ）として、印刷データ、印刷に付随するメタデータ、さらにプレビュー表示で設定された印刷条件を取得し、取得した印刷用データを複合機やプリンタで使用される言語（例えば、ＰＣＬ）に変換する。プリンタドライバ１６は、変換した印刷用データを画像形成装置２０へ送信する。
【００７８】
画像形成装置２０は、装置全体を制御する制御部２１、通信部２２、スキャナ部２３、操作部２４、表示部２５、プリンタ部２６、記憶部２７などを備える。
【００７９】
通信部２２は、ネットワーク網又は通信回線を介して画像処理装置１０、あるいは他の外部装置との間で所定のデータの送受信を行う。例えば、通信部２２は、画像処理装置から印刷データを受信する。通信部２２を介して受信した印刷データは、記憶部２７に記憶される。
【００８０】
スキャナ部２３は、ＣＣＤなどを備えた画像読取機能を有する。スキャナ部は、自動原稿送り装置（ＡＤＦ、Automatic Document Feeder）であり、所定の位置に置かれた原稿に光を照射し、原稿からの反射光をＣＣＤで光電変換してアナログ信号に変換し、得られたアナログ信号をＡ／Ｄ変換器（不図示）でデジタル信号に変換する。スキャナ部２３は、変換して得られたデジタル信号を印刷データとして記憶部２７に記憶する。
【００８１】
プリンタ部２６は、記憶部２７に記憶された印刷データに基づいて、用紙上に画像を形成（印刷）し、画像が形成された用紙をトレイ（不図示）に排出する。プリンタ部２６は、例えば、感光体ドラム、感光体ドラムを所定の電位に帯電させる帯電器、感光体ドラム表面に静電潜像を形成するレーザ書込装置、感光体ドラム表面の静電潜像にトナーを供給して顕像化する現像装置、感光体ドラム表面のトナー像を用紙に転写する転写装置などを備えている（いずれも不図示）。なお、プリンタ部２６は、電子写真方式に限定されるものではなく、インクジェット方式、熱転写方式などいずれの方式のものでもよい。
【００８２】
操作部２４は、例えば、タッチパネル方式の操作パネルであり、操作者の操作指示を受け付ける。表示部２５は、例えば、液晶ディスプレイであり、操作者に対して操作の結果等の情報を表示する。なお、画像処理装置１０及び画像形成装置２０を統合して１つの装置（例えば、複合機）とする場合、表示部１４を表示部２５に統合することができる。この場合、プレビュー画像は、表示部２５の表示画面に表示することができる。
【００８３】
次に、本実施の形態の画像処理装置１０の動作について説明する。図２は本実施の形態の画像処理装置１０によるプレビュー表示の全体プロセスの一例を示す模式図である。本実施の形態のプレビュー表示は、主に文書作成用のアプリケーション、プレビュー画像生成部１３、プレビューアプリケーション１８、プリンタドライバ１６などにより実現される。図２に示すように、まず、操作者が文書作成用のアプリケーションなどを開いて文章や図表を作成し、印刷ボタン操作して印刷を実行する。
【００８４】
アプリケーションで印刷実行が行われた場合、プレビュー画像生成部１３が起動される。プレビュー画像生成部１３は、アプリケーションからの印刷データを元にして、印刷データ及び印刷に付随するメタデータ（例えば、用紙サイズ、解像度、用紙の向きなどの情報）を含む一時ファイル（ＥＭＦデータ）を頁毎に生成してプレビュー画像を生成する。
【００８５】
一時ファイル（プレビュー画像）が生成された場合、プレビューアプリケーション１８は、表示部１４の表示画面にプレビュー画像を表示する。プレビューアプリケーション１８は、プレビュー表示の表示態様を受け付けるための操作ボタン（例えば、アイコン）、印刷条件を設定するための操作ボタン（例えば、アイコン）などを表示画面に表示する。これにより、操作者が印刷条件を設定したとき、設定した印刷条件を反映したプレビュー画像を再度表示することができる、操作者は、プレビュー画像を表示させつつ印刷条件を変えて所望の印刷条件を印刷前に確認することができる。また、印刷条件を設定される都度、設定された印刷条件を新たに付与することで一時ファイル（ＥＭＦデータ）が頁毎に更新される。
【００８６】
プレビュー表示において、操作者が印刷実行を行った場合、プレビューアプリケーション１８は、印刷データ、印刷に付随するメタデータ、さらにプレビュー表示で設定された印刷条件を含む印刷用データ（ＥＭＦデータ）をプリンタドライバ１６へ送出する。
【００８７】
プリンタドライバ１６は、印刷用データ（ＥＭＦデータ）として、印刷データ、印刷に付随するメタデータ、さらにプレビュー表示で設定された印刷条件を取得し、取得した印刷用データを複合機やプリンタで使用される言語（例えば、ＰＣＬ）に変換する。プリンタドライバ１６は、変換した印刷用データを画像形成装置２０へ送信する。
【００８８】
次に本実施の形態のプレビュー表示の表示例について説明する。本実施の形態では、プレビュー表示は、原稿表示モード、立体表示モード、平面表示モードの３つの表示モードを有する。
【００８９】
図３は本実施の形態の原稿表示モードでのプレビュー表示の一例を示す説明図である。原稿表示モードは、プレビュー画像をサムネイルとして表示する表示態様である。表示画面上の「原稿表示」ボタン２０１を操作することにより、図３に示すような、複数の原稿のサムネイル画像がプレビュー画像として表示される。なお、表示画面に表示するサムネイル画像の数は、図３の例では８枚であるが、画像の大きさを変えることにより、所望の数に設定することができる。
【００９０】
図４は本実施の形態の立体表示モードでのプレビュー表示の一例を示す説明図である。立体表示モードは、プレビュー画像を立体的な表示態様（第１の表示態様）で表示するものである。表示画面上の「仕上がり（立体）」ボタン２０２を操作することにより、図４に示すような、仮想的な基準面２０３を斜めから見た状態で表示する。また、基準面２０３上で複数のプレビュー画像を立てた状態で重ね合わせるとともに、最前列の２枚のプレビュー画像（図４において、「Ｃ２」及び「Ｄ１」と記載された画像）を含む仮想面同士が基準面２０３上で１８０度より小さい角度をなして交差するようにプレビュー画像を表示する。上述の角度は、１８０度より小さい角度であるが、最前列のプレビュー画像の視認性を高めるためには、９０度から１７０度程度までが好ましい。
【００９１】
図４に示すように、自動頁送りボタン２０４を操作することにより、一方の最前列のプレビュー画像を所定時間（例えば、１頁当たり１秒など）の間隔で順次徐々に移動（頁送り）しつつ表裏を反転させて他方の最前列のプレビュー画像とする。例えば、一方の最前列のプレビュー画像を表とした場合、プレビュー画像を徐々に移動（頁送り）させて表裏を反転させるので、操作者は、プレビュー画像の表から裏へと徐々に移り変わる様子を見ることができ、プレビュー画像の視認性を向上させることができる。また、大量の原稿を印刷する場合でも印刷の誤りがないかを確実に確認することができる。
【００９２】
また、図４に示すように、手動頁送りボタン２０５を操作することにより、一方の最前列のプレビュー画像を操作の都度、順次移動（頁送り）しつつ表裏を反転させて他方の最前列のプレビュー画像とすることができる。
【００９３】
また、図４に示すように、「部数」ボタン２１０を操作することにより、原稿の印刷部数を設定することができる。また、「印刷設定」ボタン２１１を操作することにより、例えば、両面印刷あるいは片面印刷を設定することができる。また、「Ｎ−Ｕｐ印刷」ボタン２１２を操作することにより、頁割付数を設定することができる。頁割付は、例えば、１頁の用紙に１、２、４、６、８頁分の原稿を割り付けることができる。また、「ズーム設定」ボタン２１３を操作することにより、立体表示モードではプレビュー画像の奥行きを変更することができ、平面表示モードではプレビュー画像の縮小又は拡大を行うことができる。また、「仕上げ」ボタン２１４を操作することにより、用紙の綴じ位置を設定することができる。また、「カラーモード」ボタン２１５を操作することにより、例えば、フルカラー印刷、グレースケール印刷、モノクロ印刷などを選択することができる。上述の各ボタン２１０〜２１５を操作することにより、印刷条件が設定された場合、その都度印刷用データが更新される。
【００９４】
また、図４に示すように、「印刷」ボタン２０６を操作することにより、プレビューアプリケーション１８は、印刷データ、印刷に付随するメタデータ、さらにプレビュー表示で設定された印刷条件を含む印刷用データ（ＥＭＦデータ）をプリンタドライバ１６へ送出する。
【００９５】
図５は本実施の形態の平面表示モードでのプレビュー表示の一例を示す説明図である。平面表示モードは、プレビュー画像を平面的な表示態様（第２の表示態様）で表示するものである。表示画面上の「仕上がり（平面）」ボタン２０７を操作することにより、図５に示すような、最前列の２枚のプレビュー画像が同一面をなすように表示する。これにより、２頁分の原稿を見開き状態で机上に置いたように表示させることができ、また、１頁ずつ頁送りをするように表示させることができるので、一層視認性を向上させることができる。なお、他の操作用のボタンは、図４と同様であるので同一符号を付して説明は省略する。
【００９６】
操作者は、プレビュー表示において、「原稿表示」ボタン２０１、「仕上がり（立体）」ボタン２０２及び「仕上がり（平面）」ボタン２０７を操作することにより、操作の都度、プレビュー表示を原稿表示モード、立体表示モード、平面表示モードの３つの表示モードに自由に切り替えることができる。これにより、操作者の要望に合わせて原稿の仕上がり状態を確認する選択肢が増えるので、操作者の利便性を向上させることができる。
【００９７】
次に原稿の頁送りについて説明する。図６、図７、図８及び図９は本実施の形態の立体表示モードでの頁送りの遷移の一例を示す説明図である。図６〜図９は時間の経過とともにプレビュー画像の頁送りが徐々に行われる様子を示すものであり、図６、図７、図８、図９の順に時間が経過している。なお、図６で示す状態から図９で示す状態への遷移時間は自動頁送りの場合、１秒程度であるが、頁送りの速度は上述で説明したとおり変更することができる。
【００９８】
まず、図６では、基準面２０３上で複数のプレビュー画像を立てた状態で重ね合わせるとともに、最前列の２枚のプレビュー画像（図６において、「２」及び「３」と記載された画像）を含む仮想面同士が基準面２０３上で１８０度より小さい角度をなして交差するようにプレビュー画像を表示する。図６の例では、上述の角度は１２０度程度である。また、「３」と記載されたプレビュー画像は、後列の「５」と記載されたプレビュー画像の一部だけを遮るようにして重ね合わせてある。「５」と記載されたプレビュー画像も同様である。
【００９９】
次に、図７では、一方の最前列のプレビュー画像である「３」と記載されたプレビュー画像の頁送りが徐々に開始されている。このため、図６では「５」と記載されたプレビュー画像の一部が「３」と記載されたプレビュー画像で覆われていたが、図７では、「５」と記載されたプレビュー画像全体を視認することができる。
【０１００】
次に、図８では、一方の最前列のプレビュー画像である「３」と記載されたプレビュー画像の頁送りがさらに進み、頁の表裏が反転され裏面の「４」と記載されたプレビュー画像が見え始めている。なお、この時点で、他方の最前列のプレビュー画像である「２」と記載されたプレビュー画像も基準面２０３上で後方に回転しつつ移動している。また、「３」と記載されたプレビュー画像の後列の「５」と記載されたプレビュー画像も基準面２０３上で後方に回転しつつ移動し、徐々に最前列のプレビュー画像となることがわかる。
【０１０１】
図９では、頁送りにより、「４」と記載されたプレビュー画像が他方の最前列のプレビュー画像となるとともに、「５」と記載されたプレビュー画像が、図６の「３」と記載されたプレビュー画像に代わって一方の最前列のプレビュー画像となる。以降、同様の頁送りが行われる。
【０１０２】
上述の例では用紙の綴じ位置が左側であったが、これに限定されるものではない。図１０は本実施の形態の上綴じの場合のプレビュー表示の一例を示す説明図である。図１０の例では、綴じ位置が原稿の上側にある。この場合、反転表示制御部１８２は、プレビュー画像の頁送りの方向を下から上とする。
【０１０３】
図１１は本実施の形態の左上綴の場合のプレビュー表示の一例を示す説明図である。図１１の例では、綴じ位置が、原稿の左上端にある。この場合、反転表示制御部１８２は、プレビュー画像の頁送りの方向を右下から左上とする。このように、原稿が綴じられた状態を再現して頁送りがされるので、頁の前後あるいは原稿の上下など実際の仕上がりに合わせて確認することができ、誤印刷を発見しやすくなる。
【０１０４】
次に本実施の形態の画像処理装置１０の動作について説明する。図１２は本実施の形態の画像処理装置１０によるプレビュー表示全体の処理手順を示すフローチャートである。画像処理装置１０全体を制御するのはＣＰＵ１１であるので、以下の処理はＣＰＵ１１が行うものとして説明する。
【０１０５】
ＣＰＵ１１は、文書作成用などのアプリケーションで印刷実行が行われたか否かを判定し（Ｓ１１）、印刷実行が行われていない場合（Ｓ１１でＮＯ）、ステップＳ１１の処理を続ける。印刷実行が行われた場合（Ｓ１１でＹＥＳ）、ＣＰＵ１１は、プレビュー画像生成部１３を制御することによりプレビュー用の一時ファイルを生成する（Ｓ１２）。これにより、プレビュー画像が１頁ずつ生成される。
【０１０６】
ＣＰＵ１１は、プレビューアプリケーション１８を制御することにより、プレビュー画像を表示する（Ｓ１３）。この場合、プレビュー表示は、例えば、原稿表示モードで行われるが、操作者が立体表示モードあるいは平面表示モードを選択した場合には、選択した表示モードでプレビュー画像が表示される。また、プレビュー表示は、例えば、図３〜図５で例示した各種操作用のボタンも表示され、以下に説明するように、プレビュー画像を確認した操作者が印刷条件などを適宜変更した場合、変更した印刷条件が反映されたプレビュー画像を再度表示させることができる。
【０１０７】
ＣＰＵ１１は、印刷条件が設定されたか否かを判定し（Ｓ１４）、印刷条件が設定された場合（Ｓ１４でＹＥＳ）、設定された印刷条件を反映すべく一時ファイルを更新し（Ｓ１５）、ステップＳ１３以降の処理を行う。
【０１０８】
印刷条件が設定されていない場合（Ｓ１４でＮＯ）、ＣＰＵ１１は、プレビュー画面で印刷実行が行われたか否かを判定し（Ｓ１６）、印刷実行が行われていない場合（Ｓ１６でＮＯ）、ステップＳ１３以降の処理を行う。
【０１０９】
プレビュー画面で印刷実行が行われた場合（Ｓ１６でＹＥＳ）、ＣＰＵ１１は、一時ファイルをプリンタドライバへ転送する（Ｓ１７）。転送される一時ファイルには、印刷データ、印刷に付随するメタデータ、さらにプレビュー表示で設定された印刷条件が含まれる。
【０１１０】
ＣＰＵ１１は、プリンタドライバ１６を制御することにより、印刷データをプリンタ（画像形成装置２０）で使用される言語（ＰＣＬ）のデータに変換し（Ｓ１８）、変換した印刷データをプリンタ（画像形成装置２０）へ送信し（Ｓ１９）、処理を終了する。
【０１１１】
次に、プレビュー表示の詳細について説明する。図１３は本実施の形態の頁送り速度を遅くする場合のプレビュー表示の処理手順を示すフローチャートである。なお、以下では、自動頁送り操作が行われたものとして説明する。ＣＰＵ１１は、プレビューアプリケーション１８を制御してプレビュー画像を表示し（Ｓ１０１）、自動頁送りボタン操作を受け付ける（Ｓ１０２）。
【０１１２】
ＣＰＵ１１は、頁送りする最前列のプレビュー画像に章の切り替えがあるか否かを判定し（Ｓ１０３）、章の切り替えがない場合（Ｓ１０３でＮＯ）、頁送りする最前列のプレビュー画像に用紙サイズ（原稿のサイズ）の切り替えがあるか否かを判定する（Ｓ１０４）。
【０１１３】
頁送りする最前列のプレビュー画像に用紙サイズの切り替えがない場合（Ｓ１０４でＮＯ）、ＣＰＵ１１は、頁送りの速度を変えることなく、最前列のプレビュー画像の頁送りを行う（Ｓ１０５）。
【０１１４】
一方、頁送りする最前列のプレビュー画像に章の切り替えがある場合（Ｓ１０３でＹＥＳ）、あるいは頁送りする最前列のプレビュー画像に用紙サイズの切り替えがある場合（Ｓ１０４でＹＥＳ）、ＣＰＵ１１は、頁送りの速度を遅くし（Ｓ１０６）、ステップＳ１０５の処理を行う。この場合、頁送りの速度を変更しない場合には頁送りの速度は、例えば、１頁当たり１秒とし、頁送りの速度を遅くする場合には頁送りの速度は、例えば、１頁当たり３秒とすることができる。なお、頁送り速度は、前述の速度に限定されるものではなく、適宜設定することができる。
【０１１５】
ＣＰＵ１１は、１頁分の頁送りが完了したか否かを判定し（Ｓ１０７）、頁送りが完了していない場合（Ｓ１０７でＮＯ）、ステップＳ１０７の処理を続ける。頁送りが完了した場合（Ｓ１０７でＹＥＳ）、すなわち、一方の最前列のプレビュー画像が他方の最前列のプレビュー画像となった場合、ＣＰＵ１１は、頁送りの速度を元の値（例えば、１頁当たり１秒など）にセットする（Ｓ１０８）。なお、既に元の値がセットされている場合には、ステップＳ１０８の処理は確認処理ということができる。
【０１１６】
ＣＰＵ１１は、頁送りが最終頁であるか否かを判定し（Ｓ１０９）、最終頁でない場合（Ｓ１０９でＮＯ）、ステップＳ１０３以降の処理を行う。最終頁である場合（Ｓ１０９でＹＥＳ）、ＣＰＵ１１は処理を終了する。
【０１１７】
図１４は本実施の形態の頁送りを一時停止する場合のプレビュー表示の処理手順を示すフローチャートである。ＣＰＵ１１は、プレビューアプリケーション１８を制御してプレビュー画像を表示し（Ｓ１２１）、自動頁送りボタン操作を受け付ける（Ｓ１２２）。
【０１１８】
ＣＰＵ１１は、頁送りする最前列のプレビュー画像に章の切り替えがあるか否かを判定し（Ｓ１２３）、章の切り替えがない場合（Ｓ１２３でＮＯ）、頁送りする最前列のプレビュー画像に用紙サイズの切り替えがあるか否かを判定する（Ｓ１２４）。
【０１１９】
頁送りする最前列のプレビュー画像に用紙サイズの切り替えがない場合（Ｓ１２４でＮＯ）、ＣＰＵ１１は、最前列のプレビュー画像の頁送りを行う（Ｓ１２５）。
【０１２０】
一方、頁送りする最前列のプレビュー画像に章の切り替えがある場合（Ｓ１２３でＹＥＳ）、あるいは頁送りする最前列のプレビュー画像に用紙サイズの切り替えがある場合（Ｓ１２４でＹＥＳ）、ＣＰＵ１１は、最前列のプレビュー画像の頁送りを一旦停止し（Ｓ１２６）、所定時間経過したか否かを判定する（Ｓ１２７）。所定時間は、適宜設定することができるが、例えば、５秒とすることができる。
【０１２１】
所定時間経過していない場合（Ｓ１２７でＮＯ）、ＣＰＵ１１は、ステップＳ１２７の処理を続ける。所定時間経過した場合（Ｓ１２７でＹＥＳ）、ＣＰＵ１１は、ステップＳ１２５の処理を行う。
【０１２２】
ＣＰＵ１１は、頁送りが最終頁であるか否かを判定し（Ｓ１２８）、最終頁でない場合（Ｓ１２８でＮＯ）、ステップＳ１２３以降の処理を行う。最終頁である場合（Ｓ１２８でＹＥＳ）、ＣＰＵ１１は処理を終了する。
【０１２３】
図１５は本実施の形態の頁送りの速度を変化させる場合のプレビュー表示の処理手順を示すフローチャートである。ＣＰＵ１１は、プレビューアプリケーション１８を制御してプレビュー画像を表示し（Ｓ１４１）、自動頁送りボタン操作を受け付ける（Ｓ１４２）。
【０１２４】
ＣＰＵ１１は、頁送りする最前列のプレビュー画像の用紙サイズ（原稿のサイズ）を判定し（Ｓ１４３）、用紙サイズに応じた頁送り速度を設定する（Ｓ１４４）。例えば、用紙サイズが、Ａ２、Ａ３等の如く通常の用紙サイズ（例えば、Ａ４）より大きい場合には、確認する範囲も広いので、頁送りの速度を遅くする（例えば、１頁当たり２秒など）。また、用紙サイズが、Ｂ６、Ａ５等の如く通常の用紙サイズより小さい場合には、確認する範囲も狭いので、頁送りの速度を速くする（例えば、１頁当たり０．５秒など）。
【０１２５】
ＣＰＵ１１は、最前列のプレビュー画像の頁送りを行う（Ｓ１４５）。ＣＰＵ１１は、頁送りが最終頁であるか否かを判定し（Ｓ１４６）、最終頁でない場合（Ｓ１４６でＮＯ）、ステップＳ１４３以降の処理を行う。最終頁である場合（Ｓ１４６でＹＥＳ）、ＣＰＵ１１は処理を終了する。
【０１２６】
図１６は本実施の形態の頁送りの速度を変化させる場合のプレビュー表示の他の処理手順を示すフローチャートである。ＣＰＵ１１は、プレビューアプリケーション１８を制御してプレビュー画像を表示し（Ｓ１５１）、表示モード（例えば、仕上がり立体、仕上がり平面など）を判定する（Ｓ１５２）。ＣＰＵ１１は、ズーム倍率（奥行き情報）を判定する（Ｓ１５３）。なお、ステップＳ１５２、Ｓ１５３の処理は、いずれか一方のみでもよい。
【０１２７】
ＣＰＵ１１は、自動頁送りボタン操作を受け付け（Ｓ１５４）、判定した表示モード、ズーム倍率に応じた頁送り速度を設定し（Ｓ１５５）、最前列のプレビュー画像の頁送りを行う（Ｓ１５６）。
【０１２８】
ＣＰＵ１１は、頁送りが最終頁であるか否かを判定し（Ｓ１５７）、最終頁でない場合（Ｓ１５７でＮＯ）、ステップＳ１５６以降の処理を行う。最終頁である場合（Ｓ１５７でＹＥＳ）、ＣＰＵ１１は処理を終了する。
【０１２９】
図１２〜図１６で例示した各処理手順を示すプログラムコードをＲＡＭにロードしてＣＰＵで実行させることにより、本実施の形態の画像処理装置１０をプログラムコードにより実現することができる。
【０１３０】
すなわち、コンピュータに実行させるためのプログラムコード（実行形式プログラム、中間コードプログラム、ソースプログラム）を記録したコンピュータ読み取り可能な記録媒体に、上記した処理手順（例えば、図１２〜図１６）を記録することもできる。この結果、上述のプレビュー表示処理を行うプログラムを記録した記録媒体を持ち運び自在に提供することができる。
【０１３１】
本実施の形態のコンピュータプログラムを記録した記録媒体は、コンピュータに、印刷する原稿の印刷用データに基づいて複数の原稿画像を生成し、生成した原稿画像を表示画面に表示するステップを実行させるためのコンピュータプログラムにおいて、コンピュータに、生成した複数の原稿画像を重ね合わせるとともに、隣り合う２枚の原稿画像を並べて最前列に表示する表示制御ステップと、表示した一方の最前列の原稿画像を順次徐々に移動しつつ表裏を反転させて他方の最前列の原稿画像とする反転表示制御ステップとを実行させるコンピュータプログラムを記録する。
【０１３２】
なお、本実施の形態では、この記録媒体としては、マイクロコンピュータで処理が行われるためのメモリ（不図示）、例えば、ＲＯＭのようなプログラムメディアであってもよく、図示しない外部記憶装置としてのプログラム読取装置が設けられ、そこに記録媒体を挿入することで読み取り可能なプログラムメディアであってもよい。
【０１３３】
いずれの場合においても、格納されているプログラムコードはマイクロプロセッサがアクセスして実行させる構成であってもよいし、プログラムコードを読み出し、読み出されたプログラムコードは、マイクロコンピュータの図示されていないプログラム記憶エリアにダウンロードされて、そのプログラムコードが実行される方式であってもよい。この場合、ダウンロード用のコンピュータプログラムは予め本体装置に格納されているものとする。
【０１３４】
ここで、上記プログラムメディアは、本体と分離可能に構成される記録媒体であり、磁気テープやカセットテープ等のテープ系、フレキシブルディスクやハードディスク等の磁気ディスク並びにＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムコードを担持する媒体であってもよい。
【０１３５】
また、本実施の形態においては、インターネットを含む通信ネットワークを接続可能なシステム構成であることから、通信ネットワークからプログラムコードをダウンロードするように流動的にプログラムを担持する媒体であってもよい。なお、このように通信ネットワークからプログラムコードをダウンロードする場合には、そのダウンロード用のコンピュータプログラムは予め本体装置に格納しておくか、あるいは別の記録媒体からインストールされるものであってもよい。なお、本発明は、上記プログラムコードが電子的な伝送で具現化された、搬送波に埋め込まれたコンピュータデータ信号の形態でも実現され得る。
【０１３６】
上記記録媒体は、デジタルカラー画像形成装置やコンピュータシステムに備えられるプログラム読み取り装置により読み取られることで上述したプレビュー表示（画像表示方法）が実行される。
【符号の説明】
【０１３７】
１０  画像処理装置
１１  ＣＰＵ
１２  通信部
１３  プレビュー画像生成部（画像生成手段）
１４  表示部
１５  印刷指示送出部
１６  プリンタドライバ
１７  記憶部
１８  プレビューアプリケーション
１８１  表示制御部（表示制御手段）
１８２  反転表示制御部（反転表示制御手段）
１８３  頁送り速度調整部（移動速度制御手段）
１８４  編集条件判定部（編集条件判定手段）
１８５  操作部（受付手段、位置設定手段、決定手段）
２０  画像形成装置
【図１】
2011257871.tif 000003
【図２】
2011257871.tif 000004
【図３】
2011257871.tif 000005
【図４】
2011257871.tif 000006
【図５】
2011257871.tif 000007
【図６】
2011257871.tif 000008
【図７】
2011257871.tif 000009
【図８】
2011257871.tif 000010
【図９】
2011257871.tif 000011
【図１０】
2011257871.tif 000012
【図１１】
2011257871.tif 000013
【図１２】
2011257871.tif 000014
【図１３】
2011257871.tif 000015
【図１４】
2011257871.tif 000016
【図１５】
2011257871.tif 000017
【図１６】
2011257871.tif 000018